(57)【要約】      （修正有）【課題】直立姿勢のまま荷物カゴの荷物等を片手で引き出すことを可能にし、同時に手が塞がらないようにすることで乳幼児を連れて外出している人がベビーカーの開閉操作をより安易にできる器具を提供する。【解決手段】ベビーカーの荷物カゴに積載する手荷物とベビーカー本体を繋ぐものであって、本体部分１の一方の端部にはベビーカーに取り付ける筒状の接続部２を、他方の端部には手荷物に接続できるフック等の金具３を有する。本体中間部に取り付けたリング４を上に引き上げることにより、ベビーカー座面下に収納された手荷物を屈まずに持ち上げることができる。また、そのリングに腕を通して操作することで、ベビーカーの開閉補助を片手で行うことができる。【選択図】図１
0003188704.tif 000002
【実用新案登録請求の範囲】
【請求項１】
ベビーカーの荷物カゴに積載する手荷物とベビーカー本体を繋ぐものであって、本体部分の一方の端部にはベビーカーとの接続部を、他方の端部には手荷物に接続できる金具等を有した形状を備える器具。
【請求項２】
前述の本体部分の中間位置に、手荷物を引き上げる際の取手ならびに荷物掛けのフックに掛ける機能を果たすリングを取り付けることを特徴とする請求項１に記載の器具。
【請求項３】
上記、リングが腕を通せる大きさのものを利用することで片手でのベビーカーの開閉操作を補助する特徴を持つ請求項１又は２に記載の器具。
【請求項４】
前述の本体部分を伸縮性のある素材にすることでベビーカー取り付け時に床面に引きずらないようにし、並びに異なる使用者の身体の大きさの差に対応できるようにした請求項１〜３のいずれか一項に記載の器具。
【請求項５】
ベビーカーとの接続部を筒状の形態にすることによって、ベビーカーへの取り付けを容易にする特徴を持つ請求項１〜４いずれか一項に記載の器具。
【考案の詳細な説明】
【技術分野】
【０００１】  本考案は、ベビーカー座面下に設けられた荷物カゴに入っている手荷物等を屈むことなく直立姿勢のまま片手で引き上げつつベビーカーの開閉についても片手で行う動作を補助するものであり、ベビーカー付属商品に関する。
【背景技術】
【０００２】  従来のベビーカーの片手開閉に関する技術について、ベビーカー本体を片手で開閉させるために手押し杆に開閉操作機構を設けるなどの発明がなされてきた。【０００３】  しかしながら、それらはベビーカー本体の開閉機能にのみ働く機能であり、実用の際にベビーカーの開閉時に必要となる動作の一つである荷物カゴに入っている荷物の引き上げに関してはその機能を有するわけではない。【０００４】  従来のベビーカー用荷物掛けフックについても、その機能は荷物を掛けることに重点を置いたものでありベビーカーの開閉補助の役割を兼ねているものではない。【０００５】  なお、本考案に関する公知技術として次の特許文献１〜４を上げることができる。
【先行技術文献】
【特許文献】
【０００６】
【特許文献１】  特開平２０００−１０８９０４号  公報
【特許文献２】  特開平２００１−０８８７０９号  公報
【特許文献３】  特開平２００６−２９８４００号  公報
【特許文献４】  特開平２００３−３１４５２７号  公報
【考案の概要】
【考案が解決しようとする課題】
【０００７】  上述の如く、従来技術に係わるベビーカー開閉技術は、ベビーカー本体のみを開閉することに機能した技術や考案であり、ベビーカーの荷物カゴに入っている手荷物等を引き上げる機能を併せて有するわけではないので、荷物カゴ部分に手荷物を入れている場合は一度腰を落として屈んだ姿勢で荷物を取り出すという動作を省くことはできない。【０００８】  ベビーカー用荷物掛けフックについても、荷物を接続させる機能こそ果たすものであるが、ベビーカー座面下に収納した荷物を引き上げる機能を有しているわけではないため、荷物カゴから荷物を取り出すためには屈む動作を省くことはできない。【０００９】  このため実生活において、事実上直立姿勢を維持したままベビーカーを開閉することは不可能であり、さらには荷物カゴから取った手荷物で片手が塞がってしまっているのが現状である。【００１０】  本考案は、このような点に鑑みて成されたものであり、その目的は、直立姿勢のまま荷物カゴの荷物等を片手で引き出すことを可能にし、同時に手が塞がらないようにすることで乳幼児を連れて外出している人が困難を感じているベビーカーの開閉操作をより安易にすることにある。
【課題を解決するための手段】
【００１１】  上記の目的を達成するため本考案製品は、本体部分の一方の端部はベビーカーに取り付けることが出来るよう筒状の接続部になっており、他方の端部は手荷物に取り付けることが出来るようフック等の金具が用いられていることを特徴とする。【００１２】  本体中間部に取り付けられたリングを上に引き上げることにより、ベビーカー座面下に収納された手荷物を屈まずに持ち上げることを可能とし、なおかつそのリングに腕を通して操作することで、ベビーカーの開閉補助を片手で行うことを可能とした。【００１３】  前述本体部分はベビーカー取り付け時に床面に引きずらないようにするため、並びに異なる使用者の身体の大きさの差に対応できるよう伸縮性のある素材を用いるものとする。
【考案の効果】
【００１４】  以上、説明したように本考案によれば、ベビーカー座面下部に収納する荷物とベビーカー本体を繋ぐことが可能になるため直立姿勢のまま荷物を片手で引き上げることが可能となる。本体部分に伸縮性を備えた素材を利用することで体格の異なるいずれの利用者にも適応できるようになり、ベビーカーに着用した際に地面に引き擦る懸念も払拭できる。また本製品に手荷物が繋がっている特徴から、引き上げた荷物で手が塞がることがなくなり乳幼児を両手で安全に抱き上げることが容易となる。
【図面の簡単な説明】
【００１５】
【図１】本考案の実施の形態に係わる考案製品の外観斜視図である。
【図２】ベビーカーに本考案製品を取り付けた着用時の一例である。
【図３】ベビーカー座面下の荷物カゴから、荷物を引き上げる動作の図である。
【図４】図３の動作の流れで、片手でベビーカーを畳む際の補助動作の図である。
【図５】ベビーカーを畳んだ後、リングを荷物掛にかけた状態の着用図である。
【考案を実施するための形態】
【００１６】  以下、本考案の実施の形態を図面に基づいて説明する。
【００１７】  図１〜５は本考案の実施の形態に係わり、図１は全体図、図２〜図５は本考案製品の使用方法を動作を行う順番に並べて図示したものである。図２は装着時の着用図、図３は荷物を引き上げる動作を図示したもの、図４はベビーカーを片手で畳む動作を図示したもの、図５はベビーカーを畳んだ後の着用図を示す。
【００１８】  図１に示す通り、本考案器具は伸縮性を備えた素材で構成させる本体部分１の両端に、ベビーカーとの接続部分２ならびに手荷物との接続部分３を有することを特徴とするものである。
【００１９】  本考案器具は、ベビーカー開閉をより安易に行えるよう補助するために使用される。通常の装着時において、一方の端部に備えた接続部分２をベビーカーの安全バーに取り付け、他方の端部である接続部分３を荷物カゴに収納する手荷物に取り付けて利用するものであり、その設置例を図２に示す。
【００２０】  上述の際、力を加えていない通常時は伸縮性のある素材の特徴により収縮状態にあるため本体部分１の長さが短く保たれることにより、本考案器具が地面に擦れることがないように設置可能となっている。
【００２１】  前述の伸縮部分があることにより図３に見られる通り、使用時には必要な分だけ伸長することで体格の異なるいずれの利用者や、ベビーカーの種類によっては荷物カゴの位置が異なっている場合にも適当な長さに伸縮するように工夫されている。
【００２２】  荷物を引き上げる際の持ち手部分となるリングについて、直径１０ｃｍ以上の輪とすることで図４に示したように腕を通して使用することが可能となりベビーカーを片手で開閉する動作を補助する機能を有する。
【００２３】  図５に示した通り、ベビーカーを畳んだ後も器具と荷物が繋がったままであるため、リングを荷物掛けフック５などに引っ掛けることによって、利用者の両手が空き子供を安全に抱きかかえることが出来るようにした。
【実施例】
【００２４】  本体部分１は例えば、伸縮性を持たせるために布製の筒状としたものの中に平ゴムなどの弾性素材を挟むことで実現できるものであり、布などの素材を使用することによって手洗いも可能になるため乳幼児が口に入れることを考えた場合にも安全性の面で配慮を満たすものになる。【００２５】  前述のリング４について、直径１３ｃｍの輪を利用することで無理なく腕に通すことを可能としている。【００２６】  本体部分１について、収縮時の長さを４０ｃｍにすることで利用しやすい長さにすることができ、利便性を向上させることができる。【００２７】  以上、本考案の実施の形態及び実施例を説明したが、本考案の範囲はこれに限定されるものではない。例えば、伸縮性を備えた本体部分１を布製ではなくゴム製にしたり、その長さや幅を変更したり、リング４の素材や大きさや太さを変えたり、手荷物との接続部分２の金具をプラスチック製の接続部にしたりするなど、状況に応じて適宜使用されるものである。
【符号の説明】
【００２８】  １  本体部分
２  筒状部
３  金具部分
４  リング
５  荷物掛けフック
【図１】
0003188704.tif 000003
【図２】
0003188704.tif 000004
【図３】
0003188704.tif 000005
【図４】
0003188704.tif 000006
【図５】
0003188704.tif 000007
【手続補正書】
【提出日】平成25年11月1日(2013.11.1)
【手続補正１】
【補正対象書類名】実用新案登録請求の範囲
【補正対象項目名】請求項１
【補正方法】変更
【補正の内容】
【請求項１】
ベビーカーの荷物カゴに積載する手荷物とベビーカー本体を繋ぐものであって、本体部分の一方の端部にはベビーカーとの接続部を、他方の端部には手荷物に接続できる金具を有した形状を備える器具。
【手続補正２】
【補正対象書類名】実用新案登録請求の範囲
【補正対象項目名】請求項３
【補正方法】変更
【補正の内容】
【請求項３】
上記、リングが腕を通せる大きさのものを利用することで片手でのベビーカーの開閉操作を補助する特徴を持つ請求項２に記載の器具。